(57)【特許請求の範囲】
【請求項１】
１本の上弦筋と２本の下弦筋を三角状に配置し、波状に屈曲させた２本のラチス筋の上側屈曲部に上弦筋を溶接し、各ラチス筋の下部内側に下弦筋をそれぞれ溶接した自立型トラスと、鉄筋をＶ字形に曲げ、このＶ字形の鉄筋を含む面と垂直方向に両端部を曲げて下端部を形成した支持部材と、平行な複数の溝型を形成した鉄板とを具備し、
上記自立型トラスの端部に上記支持部材を嵌め込んで、該支持部材のＶ字形の頂部を上弦筋の下面に突き合わせ、該支持部材の外側面を下弦筋の内側面に溶接して端部固定部材を形成し、この自立型トラスを上記鉄板に載置して上記ラチス筋の下側屈曲部を上記鉄板に溶接して固定したことを特徴とする床版の構造材。
【請求項２】
１本の上弦筋と２本の下弦筋を三角状に配置し、波状に屈曲させた２本のラチス筋の上側屈曲部に上弦筋を溶接し、各ラチス筋の下部内側に下弦筋をそれぞれ溶接した自立型トラスと、鉄筋をコ字形に曲げ、このコ字形の鉄筋を含む面と垂直方向に両端部を曲げて下端部を形成した支持部材と、平行な複数の溝型を形成した鉄板とを具備し、
上記自立型トラスの端部に上記支持部材を嵌め込んで、該支持部材のコ字形の頂部を下弦筋の下面に突き合わせて溶接して端部固定部材を形成し、この自立型トラスを上記鉄板に載置して上記ラチス筋の下側屈曲部を上記鉄板に溶接して固定したことを特徴とする床版の構造材。
【発明の詳細な説明】
【０００１】
【発明が属する技術分野】
この発明は、コンクリート床版の構築に使用する型枠と自立型トラスよりなる構造材に関し、特に、自立型トラスの端部固定部材の構造に関する。
【０００２】
【従来の技術】
従来のコンクリート床版の構築においては、図５の正面図（ａ）および側面図（ｂ）に示すように、１本の上弦筋11と２本の下弦筋12を三角状に配置し、波状に屈曲させたラチス筋13の上側折曲部15を上弦筋11に溶接し、ラチス筋13の下部を下弦筋12に溶接して自立型トラス１を形成したのち、このラチス筋13の下側折曲部16をデッキプレート、キーストンプレート、リブプレートなどの平行な複数の溝型を形成した鉄板２に溶接して構造材を作り、この構造材を横梁の間に架け渡して、鉄板２を捨て型枠としてコンクリートを打設する施工法が実施されている。
【０００３】
この施工法によると、自立型トラス１によって打設されたコンクリートの仮設的な荷重を支持することができるので、型枠となる鉄板２を下側から保持する保持部材が不要であり、したがって、コンクリート打設後の型枠解体作業が不要になる。そして、コンクリートの硬化後には、自立型トラス１が鉄筋コンクリートの主筋の役目を果たすものである。
【０００４】
【発明が解決しようとする課題】
施工に際して構造材を横梁に架け渡すと、図６に示すように、鉄板２の端部を横梁３の上に載置することになるので、横梁３によって自立型トラス１を直接支持させるために、上弦筋11および下弦筋12の端部を突出させ、２本の下弦筋12の突出部に水平方向に第１の鉄筋21を溶接し、上弦筋11の端部と第１の鉄筋21の中央部との間に垂直方向に第２の鉄筋22を溶接して端部固定部材20を形成する。この第２の鉄筋21の下端部は、横梁３に載置される鉄板２の上面に突き合わせるか、図６の側面図（ｃ）に示すように、横梁３の形状に合わせて、クランク状に曲げられている。
【０００５】
このような構造材を使用して、コンクリートを打設すると、構造材の自重および打設されたコンクリートの仮設的な重量を端部固定部材20を介して自立型トラス１により横梁３で支持することができる。
【０００６】
しかし、自立型トラス１の端部に端部固定部材20を形成する際に、下弦筋12の突出部に水平方向に第１の鉄筋21を溶接し、上弦筋11の端部と第１の鉄筋21の中央部との間に垂直方向に第２の鉄筋22を溶接しているが、この２本の鉄筋を溶接する工程は手作業によって行われており、機械化することが困難であった。
【０００７】
また、従来のトラス製造装置においては、連続的に曲げ加工されるラチス筋13の曲げピッチが一定であるから、製造した自立型トラス１を横梁３のスパンに合わせて所望の長さに切断したとき、ラチス筋13の切断位置が、繰り返されるピッチ中のどの位置に当たるか不定であり、切断位置がラチス筋13の上側屈曲部15に当たるとは限らない。
【０００８】
そのために、自立型トラス１をラチス筋13の上側屈曲部15に当たる位置で切断すると、切断した自立型トラス１の長さは、ラチス筋13の１ピッチの整数倍に限られて、横梁３のスパンとは必ずしも一致しない。また、横梁３のスパンに合わせて自立型トラス13を切断すると、切断位置がラチス筋13の上側屈曲部15に当たる位置に必ずしも一致しない。
【０００９】
そこで、この発明は、このような構造材における自立型トラスの端部固定部材が有する課題を解決し、端部固定部材を人手によることなく機械によって形成し得るように構成し、かつ、繰り返されるラチス筋のピッチ中のどの位置においても端部固定部材を形成することを目的として考えられたものである。
【００１０】
【課題を解決するための手段】
この発明の床版の構造材は、１本の上弦筋11と２本の下弦筋12を三角状に配置し、波状に屈曲させた２本のラチス筋13の上側屈曲部15に上弦筋11を溶接し、各ラチス筋13の下部内側に下弦筋12をそれぞれ溶接した自立型トラス１と、鉄筋をＶ字形に曲げ、このＶ字形の鉄筋31を含む面と垂直方向に両端部を曲げて下端部33を形成した支持部材30と、平行な複数の溝型を形成した鉄板２とを具備し、自立型トラス１の端部に支持部材30を嵌め込んで、この支持部材30のＶ字形の頂部32を上弦筋11の下面に突き合わせ、この支持部材30の外側面を下弦筋12の内側面に溶接して端部固定部材を形成し、この端部固定部材を形成した自立型トラス１を鉄板２に載置してラチス筋13の下側屈曲部16を鉄板２溶接して固定したものである。
【００１１】
また、この発明の床版の構造材は、１本の上弦筋11と２本の下弦筋12を三角状に配置し、波状に屈曲させた２本のラチス筋13の上側屈曲部15に上弦筋11を溶接し、各ラチス筋13の下部内側に下弦筋12をそれぞれ溶接した自立型トラス１と、鉄筋をコ字形に曲げ、このコ字形の鉄筋34を含む面と垂直方向に両端部を曲げて下端部33を形成した支持部材30ａと、平行な複数の溝型を形成した鉄板２とを具備し、自立型トラス１の端部にコ字形の支持部材30ａを嵌め込んで、この支持部材30ａのコ字形の頂部35を下弦筋12の下面に突き合わせて溶接して端部固定部材を形成し、この端部固定部材を形成した自立型トラス１を鉄板２に載置してラチス筋13の下側屈曲部16を鉄板２溶接して固定してもよいのである。
【００１２】
【発明の実施の形態】
図５の正面図（ａ）および側面図（ｂ）に示すように、１本の上弦筋11と２本の下弦筋12を三角状に配置し、波形に屈曲させた２本のラチス筋13の各上側屈曲部で上弦筋11を挟むように溶接し、各ラチス筋13の下部内側に下弦筋12をそれぞれ溶接して自立型トラス１を構成する。
【００１３】
図５の正面図（ａ）から明らかなように、２本のラチス筋13の下部内側に下弦筋12を溶接すると、自立型トラス１と鉄板２で囲まれる空間Ｂには、自立型トラス１の全長にわたって何も存在しない。
【００１４】
そこで、支持部材として、自立型トラス１と鉄板２で囲まれる空間Ｂの中に収まる形状として、自立型トラス１の全長にわたって任意の位置に取り付けることができるように構成したものである。
【００１５】
（第１の実施形態）
図２の正面図（ａ）および側面図（ｂ）に示すように、鉄筋をＶ字形に曲げ、さらに、このＶ字形の鉄筋31を含む面に垂直な方向へ両端部を曲げて下端部33とした支持部材30を形成する。また、支持部材30の下端部33は、図１の側面図（ｃ）に示すように、横梁の形状に合わせてクランク状に曲げてもよいのである。また、図２の側面図（ｄ）に示すように、Ｖ字形の鉄筋31の両端部を互いに反対方向に曲げて下端部33、33ａとした支持部材30を形成してもよいのである。
【００１６】
図１の正面図（ａ）および側面図（ｂ）に示すように、自立型トラス１の端部に支持部材30を嵌め込み、支持部材30のＶ字形の頂部32を上弦筋11の下面に突き合わせ、支持部材30の鉄筋31の外側面を下弦筋12の内側面に溶接して自立型トラス１の端部に固定する。なお、支持部材30のＶ字形の頂部32には下向きの荷重がかかるから、Ｖ字形の頂部32を上弦筋11に必ずしも溶接しなくてもよいのである。
【００１７】
支持部材30を端部に固定した自立型トラス１をデッキプレート、キーストンプレート、リブプレートなどの平行な複数の溝型を形成した鉄板２の上に載置すると、支持部材30の下端部33が鉄板２の上に接することになり、２本のラチス筋13の各下側屈曲部を鉄板２に溶接して床版の構造材を完成する。
【００１８】
そして、この構造材を横梁の間に架け渡し、鉄板２を捨て型枠としてコンクリートを打設して床スラブを構築するのである。
【００１９】
構造材が長く、コンクリートの打設時に中間部を支持しなければならない場合には、自立型トラス１の中間部にも支持部材30を固定すればよいのである。
【００２０】
（第２の実施形態）
支持部材として、図４の正面図（ａ）および側面図（ｂ）に示すように、鉄筋をコ字形に曲げ、さらに、このコ字形の鉄筋34を含む面に垂直な方向へ両端部を曲げて下端部33とした支持部材30ａを形成する。また、支持部材30ａの下端部33は、図４の側面図（ｃ）に示すように、横梁の形状に合わせてクランク状に曲げてもよいのである。さらに、図４の側面図（ｄ）に示すように、コ字形の鉄筋34の両端部を互いに反対方向に曲げて下端部33、33ａとした支持部材30ａを形成してもよいのである。
【００２１】
図３の正面図（ａ）および側面図（ｂ）に示すように、自立型トラス１の端部の下弦筋12の下にコ字形の支持部材30ａを嵌め込み、この支持部材30ａの頂部35を下弦筋12の下面に突き合わせて溶接し、自立型トラス１の端部に固定する。
【００２２】
支持部材30ａを端部に固定した自立型トラス１を平行な複数の溝型を形成した鉄板２の上に載置すると、支持部材30ａの下端部33が鉄板２の上に接することになり、２本のラチス筋13の各下側屈曲部16を鉄板２に溶接して床版の構造材を完成する。
【００２３】
（その他の実施形態）
以上で説明した実施形態においては、Ｖ字形の支持部材30およびコ字形の支持部材30ａとして鉄筋を曲げ加工したものを使用しているが、Ｖ字形の支持部材30の代わりに三角形の鉄板を使用し、コ字形の支持部材30ａの代わりに四角形または台形の鉄板を使用してもよいのである。
【００２４】
【発明の効果】
以上で説明した実施の形態に基づく説明から明らかなように、この発明の床版の構造材によると、自立型トラス１の端部固定部材は、１つのＶ字形の支持部材30またはコ字形の支持部材30ａによって構成されているので、この支持部材30、30ａを自立型トラス１の端部に供給する工程および支持部材30、30ａを下弦筋12に溶接する工程が簡素化されて機械化が容易である。
【００２５】
また、支持部材30、30ａを自立型トラス１と鉄板２で囲まれる空間Ｂに収まる形状にすることにより、自立型トラス１の全長にわたって任意の位置に取り付けることができるので、繰り返されるラチス筋のピッチ中のどの位置においても端部固定部材を形成することが可能である。
【図面の簡単な説明】
【図１】この発明の床版の構造材の第１の実施形態を示す正面図（ａ）および側面図（ｂ）、
【図２】図１に示す床版の構造材において使用する支持部材の正面図（ａ）および側面図（ｂ）（ｃ）（ｄ）、
【図３】この発明の床版の構造材の第２の実施形態を示す正面図（ａ）および側面図（ｂ）、
【図４】図３に示す床版の構造材において使用する支持部材の正面図（ａ）および側面図（ｂ）（ｃ）（ｄ）、
【図５】この発明を適用する床版の構造材の一例を示す正面図（ａ）および側面図（ｂ）、
【図６】従来の床版の構造材の端部を示す正面図（ａ）および側面図（ｂ）（ｃ）である。
【符号の説明】
Ｂ  空間
１  自立型トラス
２  溝型を形成した鉄板
３  横梁
11  上弦筋
12  下弦筋
13  ラチス筋
15  上側屈曲部
16  下側屈曲部
30、30ａ  支持部材
31  Ｖ字形の鉄筋
32  頂部
33  下端部
34  コ字形の鉄筋
【図１】
0003659918.tif 000002
【図２】
0003659918.tif 000003
【図３】
0003659918.tif 000004
【図４】
0003659918.tif 000005
【図５】
0003659918.tif 000006
【図６】
0003659918.tif 000007